(57)【要約】  確実かつ効率的に体温を調節することができる体温調節パッド及び体温調節パッド装着具を提供する。体温調節パッド（１）は、表面部（２）と、表面部（２）と同形の裏面部（３）と、表面部（２）及び裏面部（３）の間に配置される保冷剤（４）又は蓄熱剤と、を備える体温調節パッド（１）であって、人体又は動物の湾曲した部位に近接又は当接するように、凹状に湾曲する当接縁（５）と、当接縁（５）の一端から、当接縁５となす角度が９０度以上となるように、人体又は動物から遠ざかる方向へ延びる延出縁（６）と、延出縁（６）の先端から凸状に湾曲して延び、先端が当接縁（５）の他端に連続する外側縁（７）と、を有する。
2018211606.tif 000002
【特許請求の範囲】
【請求項１】
表面部と、該表面部と同形の裏面部と、前記表面部及び前記裏面部の間に配置される保冷剤又は蓄熱剤と、を備える体温調節パッドであって、  人体又は動物の湾曲した部位に近接又は当接するように、凹状に湾曲する当接縁と、  前記当接縁の一端から、前記当接縁となす角度が９０度以上となるように、前記人体又は動物から遠ざかる方向へ延びる延出縁と、  前記延出縁の先端から凸状に湾曲して延び、先端が前記当接縁の他端に連続する外側縁と、を有する、体温調節パッド。
【請求項２】
前記当接縁は、前記外側縁よりも曲率半径が大きく、  前記外側縁は、前記延出縁の先端から延びる第１外側縁部と、該第１外側縁部の終端から前記当接縁の他端まで延びる第２外側縁部と、を有し、  前記第２外側縁部は、前記第１外側縁部よりも曲率半径が小さい、請求項１に記載の体温調節パッド。
【請求項３】
前記体温調節パッドは、互いに隣接して配置され二つで一対をなし、  一方の前記体温調節パッドの前記延出縁と、他方の前記体温調節パッドの前記延出縁とが、向かい合うように配置される請求項１又は２に記載の体温調節パッド。
【請求項４】
請求項１〜３のいずれか１項に記載の体温調節パッドを収容し、前記人体又は動物に装着される体温調節パッド装着具であって、  前記人体又は動物に近接する側に配置される内側面部と、  前記人体又は動物の外側に位置するとともに、内部に断熱材が設けられる外側面部と、  前記内側面部及び前記外側面部の間に配置され、内部に前記体温調節パッドを収容可能な収容部と、を有し、  前記内側面部には、通気性部材が設けられる体温調節パッド装着具。
【請求項５】
前記体温調節パッド装着具は、横長形状であり、  前記収容部は、前記体温調節パッド装着具の長手方向の一方及び他方に、互いに隣接して配置され、  該２つの収容部には、それぞれ前記体温調節パッドの前記延出縁が、前記体温調節パッド装着具の長手方向の中央部側で向かい合うように収容される請求項４に記載の体温調節パッド装着具。
【請求項６】
前記体温調節パッド装着具は、装着位置調節部と、該装着位置調節部に接続可能な帯状部材と、をさらに有し、  前記装着位置調節部は、    前記体温調節パッド装着具の外周に沿って配置されるレール部と、    該レール部に沿って移動可能であるとともに所望の位置で前記レール部に係止可能な可動固定部と、を有し、  前記帯状部材は、前記可動固定部に接続される請求項５に記載の体温調節パッド装着具。 
【発明の詳細な説明】
【技術分野】
【０００１】  本発明は、人体又は動物の体温を調節するための体温調節パッド、及び体温調節パッドを装着する体温調節パッド装着具に関する。
【背景技術】
【０００２】  従来、夏季等の気温の高い時期に、激しい運動をした人体や動物等の体温を下げる目的で、保冷剤を収容したパッドを人体等に当接させたり、高温下の環境で作業をする際に、保冷剤を収容したパッドを胴衣等に取り付けて装着することが知られている。また、その逆に、寒冷地や零下の環境で、蓄熱剤を収容したパッドを人体等に当接させたり、装着具に取り付けて装着することが知られている（例えば、特許文献１参照）。このようなパッドは、製造効率や取扱いの容易さから、多くの場合、平面視四角形に形成されている。
【先行技術文献】
【特許文献】
【０００３】
【特許文献１】特開２０１６−２２３０２３号公報
【発明の概要】
【発明が解決しようとする課題】
【０００４】  冷感又は温感を感じることで快適に感じる程度を目的にする場合は、パッドを人体等に当接させるか近づけるだけでよい。しかし、周囲の環境が過酷な場合や、体調が悪化して生命の危険があるような場合には、より早く、確実かつ効率的に体温を調節することが求められる。【０００５】  そこで、本発明は、確実かつ効率的に体温を調節することができる体温調節パッド及び体温調節パッド装着具を提供することを目的とする。
【課題を解決するための手段】
【０００６】  本発明は、表面部と、該表面部と同形の裏面部と、前記表面部及び前記裏面部の間に配置される保冷剤又は蓄熱剤と、を備える体温調節パッドであって、人体又は動物の湾曲した部位に近接又は当接するように、凹状に湾曲する当接縁と、前記当接縁の一端から、前記当接縁となす角度が９０度以上となるように、前記人体又は動物から遠ざかる方向へ延びる延出縁と、前記延出縁の先端から凸状に湾曲して延び、先端が前記当接縁の他端に連続する外側縁と、を有する、体温調節パッドに関する。【０００７】  また、前記当接縁は、前記外側縁よりも曲率半径が大きく、前記外側縁は、前記延出縁の先端から延びる第１外側縁部と、該第１外側縁部の終端から前記当接縁の他端まで延びる第２外側縁部と、を有し、前記第２外側縁部は、前記第１外側縁部よりも曲率半径が小さい、ことが好ましい。【０００８】  また、前記体温調節パッドは、互いに隣接して配置され二つで一対をなし、一方の前記体温調節パッドの前記延出縁と、他方の前記体温調節パッドの前記延出縁とが、向かい合うように配置されることが好ましい。【０００９】  また、体温調節パッド装着具は、上記の体温調節パッドを収容し、前記人体又は動物に装着される体温調節パッド装着具であって、前記人体又は動物に近接する側に配置される内側面部と、前記人体又は動物の外側に位置するとともに、内部に断熱材が設けられる外側面部と、前記内側面部及び前記外側面部の間に配置され、内部に前記体温調節パッドを収容可能な収容部と、を有し、前記内側面部には、通気性部材が設けられることが好ましい。【００１０】  また、前記体温調節パッド装着具は、横長形状であり、前記収容部は、前記体温調節パッド装着具の長手方向の一方及び他方に、互いに隣接して配置され、該２つの収容部には、それぞれ前記体温調節パッドの前記延出縁が、前記体温調節パッド装着具の長手方向の中央部側で向かい合うように収容されることが好ましい。【００１１】  また、前記体温調節パッド装着具は、装着位置調節部と、該装着位置調節部に接続可能な帯状部材と、をさらに有し、前記装着位置調節部は、前記体温調節パッド装着具の外周に沿って配置されるレール部と、該レール部に沿って移動可能であるとともに所望の位置で前記レール部に係止可能な可動固定部と、を有し、前記帯状部材は、前記可動固定部に接続されることが好ましい。
【発明の効果】
【００１２】  本発明によれば、確実かつ効率的に体温を調節することができる体温調節パッド及び体温調節パッド装着具を提供することができる。
【図面の簡単な説明】
【００１３】
【図１】本実施形態における体温調節パッド装着具が設けられた胴衣を示す正面図である。
【図２】本実施形態における体温調節パッド装着具の正面図である。
【図３】図２のＡ−Ａ断面図である。
【図４】本実施形態における一対の体温調節パッドの平面図である。
【図５】本実施形態における体温調節パッド装着具が設けられた胴衣を装着した人間を示す正面斜視図である。
【図６】本実施形態における体温調節パッド装着具が設けられた胴衣を装着した人間を示す背面斜視図である。
【図７】本実施形態における体温調節パッドの装着位置を示す模式図である。
【図８】他の実施形態における体温調節パッド装着具の正面図である。
【発明を実施するための形態】
【００１４】  以下、本発明の好ましい実施形態について、図面を参照しながら説明する。  図１は、体温調節パッド装着具１０が設けられた胴衣１００を示す正面図である。本実施形態では、体温調節パッド装着具１０が人体に装着される場合を例として説明する。体温調節パッド装着具１０は、図１に示すように、互いにサスペンダー１１０やベルト１２０等で接続されて胴衣１００を構成する。体温調節パッド装着具１０は、着用者の背中上の首の周囲と、脇の下にそれぞれ配置されるように接続される。  なお、体温調節パッド装着具１０の説明において、装着状態における頭部側を上方、足元側を下方とする。
【００１５】  図２は、体温調節パッド装着具１０の正面図である。図３は、図２のＡ−Ａ断面図である。体温調節パッド装着具１０は、図２に示すように、横長形状であり、平面視で扁平な略ハート型に形成される。体温調節パッド装着具１０は、人体の曲線状の面に対応する凹部を形成する第一湾曲縁１０１と、第一湾曲縁１０１から所定幅離間し、第一湾曲縁１０１よりも緩い曲線で長手方向に延び、両端が第一湾曲縁１０１に連続する第二湾曲縁１０２と、を有する。体温調節パッド装着具１０は、外側面部１１と、内側面部１２と、一対の収容部１３と、を有する。
【００１６】  外側面部１１は、体温調節パッド装着具１０の外形をなし、着用者の外側に位置する部分である。外側面部１１は、横長形状で扁平なハート型の形状を有し、内面に内側面部１２が取り付けられる。外側面部１１は、図３に示すように、外側第一面部１１ａと、外側第二面部１１ｂと、断熱材１４と、中間薄肉部１６と、を有する。
【００１７】  外側第一面部１１ａは、着用された場合に着用者の外側に位置する部分である。外側第一面部１１ａは、例えば、ナイロン等の合成繊維の生地で構成される。
【００１８】  外側第二面部１１ｂは、外側第一面部１１ａの内側に配置される部分であり、内側面部１２に面する。外側第二面部１１ｂの周囲は、外側第一面部１１ａと縫合により接合されている。外側第二面部１１ｂは、外側第一面部１１ａと同じ素材で構成される。
【００１９】  断熱材１４は、シート状で所定の剛性を有する部材であり、外側面部１１における外側第一面部１１ａ及び外側第二面部１１ｂの間に配置される。断熱材１４はシート状の熱を遮断する部材であり、例えばウレタンスポンジシートやプラスチックシートで構成される。断熱材１４は、外側面部１１の長手方向の一方と他方にそれぞれ配置されている。
【００２０】  中間薄肉部１６は、外側面部１１の長手方向中央部側で上下方向に延びるように配置される。中間薄肉部１６は、外側第一面部１１ａと外側第二面部１１ｂとが、間に断熱材１４を介さずに直接重なり、例えば縫合等で接続される部分である。中間薄肉部１６は、内部に断熱材１４が配置された長手方向の一方及び他方と比べて、外側面部１１の剛性が小さくなっている。
【００２１】  内側面部１２は、図２に示すように、体温調節パッド装着具１０が着用者に装着された場合に、着用者に当接するか又は対面するよう、着用者に近接して配置される側の部材である。内側面部１２は、扁平なハート型を半分に切ったような形状を有し、上下に延びる直線部１２１と、直線部の上端から体温調節パッド装着具１０の長手方向の外側上方に向かって盛り上がり、湾曲しながら直線部１２１の下端へ連続する側縁部１２２とにより構成される。
【００２２】  内側面部１２は、外側面部１１の外側第二面部１１ｂ上で、中間薄肉部１６を間に挟んで外側面部１１の長手方向の一方及び他方に配置される。内側面部１２は、側縁部１２２が外側面部１１の側縁に概ね沿うように配置され、直線部１２１と、側縁部１２２における外側面部１１の第二湾曲縁１０２に沿う部分が外側面部１１と接合される。内側面部１２は、外側面部１１の第一湾曲縁１０１に沿う部分では、外側面部１１に接合されず、内側面部１２と外側面部１１の間に開口が形成される。  内側面部１２は、内側第一面部１２ａと、内側第二面部１２ｂと、断熱材１４と、通気性部材１５と、を有する。
【００２３】  内側第一面部１２ａは、着用者に当接する面である。内側第一面部１２ａは、例えば、ナイロン等の合成繊維の生地で構成される。
【００２４】  内側第二面部１２ｂは、内側第一面部１２ａの外側に配置される面であり、外側第二面部１１ｂと対向して配置される。内側第二面部１２ｂの周囲は、内側第一面部１２ａと縫合により接合されている。内側第二面部１２ｂは、内側第一面部１２ａと同じ素材で構成される。
【００２５】  断熱材１４は、内側面部１２における内側第一面部１２ａ及び内側第二面部１２ｂの間に配置される。断熱材１４は、シート状で所定の剛性を有する部材である。断熱材１４は、外側第一面部１１ａと外側第二面部１１ｂの間に挟まれている断熱材１４と同じ部材で寸法が小さいものであってもよく、又は、外側第一面部１１ａと外側第二面部１１ｂの間に挟まれている断熱材１４よりも薄いか、孔が形成されたものでもよい。内側面部１２内の断熱材１４は、後述する体温調節パッド１内の保冷剤４が温まる速度を遅くするために配置される。
【００２６】  通気性部材１５は、複数の小さな貫通孔が形成されたメッシュシートである。通気性部材１５は、２枚のメッシュシートが重ねられているとともに、厚さ方向に盛り上がる嵩高の部材で形成されている。通気性部材１５は、帯状であり、図２に示すように、外側第一面部１１ａの上に、体温調節パッド装着具１０の長手方向に沿う方向に沿って取り付けられる。通気性部材１５は、第一湾曲縁１０１側と、第二湾曲縁１０２側とにそれぞれ取り付けられるとともに、第一湾曲縁１０１側及び第二湾曲縁１０２側の通気性部材を繋ぐ位置にも取り付けられる。  通気性部材１５は、通気性部材１５を取り付ける位置で、内側第一面部１２ａを帯状に切断して貫通孔を形成し、この貫通孔を通気性部材１５で塞ぐように縫合等で接合される。
【００２７】  収容部１３は、外側面部１１と内側面部１２との間に配置される空間である。収容部１３は、外側面部１１における第一湾曲縁１０１と、内側面部１２における側縁部１２２の第一湾曲縁１０１に沿う部分との間の開口から、外側面部１１と内側面部１２が重ねられた内部空間に広がるように形成され、後述する体温調節パッド１を収容可能な空間である。収容部１３は、体温調節パッド装着具１０の長手方向の一方及び他方に一つずつ、計二つ、互いに隣接して配置される。  なお、収容部１３の開口には、開口を開閉可能な蓋が設けられてもよい。
【００２８】  次に、図４を参照して、体温調節パッド１について説明する。  体温調節パッド１は、表面部２及び裏面部３の間に保冷剤４を収容したパッドである。体温調節パッド１は、当接縁５と、延出縁６と、外側縁７と、を有して形成される。
【００２９】  表面部２及び裏面部３は、同形の液不透過性シート状部材であり、周縁が互いに接合される。  保冷剤４は、水及び高吸水性ポリマー、防腐剤、形状安定剤等を含んだゲル状の部材であり、表面部２及び裏面部３の間に配置されている。
【００３０】  当接縁５は、人体の湾曲した部位に近接又は当接するように、緩やかに凹状に湾曲する側縁である。当接縁５は、体温調節パッド１が体温調節パッド装着具１０の収容部１３に収容された状態では、収容部１３の開口（すなわち、外側面部１１の第一湾曲縁１０１に沿う部分）に位置する。当接縁５は、体温調節パッド１が体温調節パッド装着具１０に収容された場合に、人体の曲線状の面に対応する凹部を形成する第一湾曲縁１０１に沿う位置に配置される。
【００３１】  延出縁６は、図４に示すように、当接縁５の一端５ａから、当接縁５となす角度θが９０度以上となるように、人体又は動物から遠ざかる方向へ延びる、直線状の側縁である。
【００３２】  外側縁７は、延出縁６の先端６ａから凸状に湾曲しながら、当接縁５に近付くように延び、先端７ａが当接縁５の他端５ｂに連続する側縁である。外側縁７は、当接縁５よりも曲率半径が小さい。外側縁７は、第１外側縁部７１と、第２外側縁部７２と、を有する。  第１外側縁部７１は、延出縁６の先端６ａから緩く湾曲して延びる。  第２外側縁部７２は、第１外側縁部７１の終端から当接縁５の他端５ｂまで延びる。第２外側縁部７２は、第１外側縁部７１よりも曲率半径が小さく、第１外側縁部７１における曲線よりもきつい曲線で、当接縁５の他端５ｂに向かって屈曲するように湾曲する。平面視で、第２外側縁部７２は、当接縁５の一端５ａよりも内側に突出する。
【００３３】  以上の体温調節パッド１及び体温調節パッド装着具１０の使用方法について図４〜図７を参照して説明する。  図４に示すように、本実施形態では、体温調節パッド１は、延出縁６が向かい合うように互いに隣接して配置させることで、二つで一対をなす。体温調節パッド１は、体温調節パッド装着具１０の２つの収容部１３に、一方の体温調節パッドの延出縁６と他方の体温調節パッドの延出縁６とが、体温調節パッド装着具１０の中央部で向かい合うように配置され、収容される。
【００３４】  図１、図５及び図６に示すように、体温調節パッド装着具１０は、互いにサスペンダー１１０やベルト１２０等で接続されることにより胴衣１００を構成し、背中の上の首回りと、脇の下に体温調節パッド１が位置するように装着される。  このため、体温調節パッド１の当接縁５が首回りや脇の下の人体の曲線に沿うように配置される。首には頸動脈があり、腋の下にはリンパ節がある等、人体の体温を調節するために効果的な血管が位置している。そこで、首の回りや脇の下に当接縁５を沿わせるとともに、その近傍に保冷剤４を収容した体温調節パッド１を当てると、冷却された血液が人体の広い範囲に伝わるので、体温が確実かつ効率的に調節される。
【００３５】  体温調節パッド装着具１０の内側第一面部１２ａには、通気性部材１５が設けられている。このため、保冷剤４の冷気が通気性部材１５を介してよりダイレクトに人体に伝わる一方で、人体の発汗により生じる蒸気が、人体と内側第一面部１２ａの間に溜まって蒸れることが防止される。
【００３６】  断熱材１４は、外側面部１１における外側第一面部１１ａ及び外側第二面部１１ｂの間に配置されている。このため、保冷剤４の温度が、体温調節パッド装着具１０の外部の気温の影響を受けて上がる速度を遅くすることができる。  また、断熱材１４は、内側面部１２における内側第一面部１２ａ及び内側第二面部１２ｂの間にも配置されている。体温調節パッド１の保冷剤４は、人体の熱により温まっていくため、内側面部１２内に配置される断熱材１４が、体温調節パッド１と人体の間に介在することで、体温調節パッド１内の保冷剤４の効果が持続する時間の長短が調整される。
【００３７】  また、体温調節パッド装着具１０では、長手方向の一方と他方に体温調節パッド１が配置され、その中間には体温調節パッド１が配置されていない。また、体温調節パッド装着具１０の長手方向の中間部は、外側面部１１における間に断熱材１４を含まない中間薄肉部１６で構成されている。体温調節パッド装着具１０を腋の下に挟むように装着すると、腕が肩から脚の方へ延びる際、中間薄肉部１６に当たるため、体温調節パッド１の厚みが腕の動きを妨げにくい。
【００３８】  また、図７に示すように体温調節パッド１は、体温調節パッド装着具１０に装着しなくても用いることができる。例えば、熱中症等で人間が横たわっている場合、首回り、脇の下の他に、鼠蹊部、心臓の上等に直接当接させる。この場合に、腋の下や鼠蹊部では、一対の体温調節パッド１を、当接縁５が人体の曲面に沿うようにしながら人体の正面側及び背面側に当てることができる。また、首回りにおいても一対の延出縁６が首の背面に位置するように当てると、第２外側縁部７２の近傍が首に巻きつくように人体の正面側へ位置する。このように体温調節パッド１を人体の曲面に合わせて接触させることができる。
【００３９】  以上説明した本実施形態の体温調節パッド１及び体温調節パッド装着具１０によれば、以下のような作用効果を奏する。
【００４０】  （１）  体温調節パッド１を、人体又は動物の湾曲した部位に近接又は当接するように、凹状に湾曲する当接縁５と、当接縁５の一端５ａから、当接縁５となす角度が９０度以上となるように、人体又は動物から遠ざかる方向へ延びる延出縁６と、延出縁６の先端６ａから凸状に湾曲して延び、先端７ａが当接縁５の他端５ｂに連続する外側縁７と、を含んで構成した。  これにより、当接縁５が人体等の湾曲した部位に近接又は当接するので、例えば首の回りや脇の下、鼠蹊部等、人体の胴体から分岐する円筒状の部分の根元等に好適に配置させることができる。脇の下や首回り、鼠蹊部等には、血液を広範囲に運ぶ太い動脈や、動脈の束等が位置しているため、このような部分に体温調節パッド１を近接又は当接させることで、確実かつ効率的に体温を調節することができる体温調節パッド及び体温調節パッド装着具を提供することができる。  また、延出縁６が、当接縁５となす角度が９０度以上となるように延出している。これにより、当接縁５の長さよりも外側縁７の長さが長くなり、当接縁５を内側にして人体の湾曲した部位に当接させやすくなる。
【００４１】  （２）  当接縁５を、外側縁７よりも曲率半径を大きく構成し、外側縁７を、延出縁６の先端６ａから延びる第１外側縁部７１と、第１外側縁部７１の終端から当接縁５の他端５ｂまで延びる第２外側縁部７２と、を含んで構成し、第２外側縁部７２を、第１外側縁部７１よりも曲率半径を小さく構成した。これにより、第２外側縁部７２が当接縁５の一端５ａを越えて外側に突出するように屈曲する。これにより、当接縁５を内側にして人体の湾曲した部位に当接させやすくなる。
【００４２】  （３）  体温調節パッド１を、互いに隣接して配置され二つで一対をなすように構成し、一方の体温調節パッド１の延出縁６と、他方の体温調節パッド１の延出縁６とを、向かい合うように配置した。上述の通り、体温調節パッド１の延出縁６は、当接縁５に対して９０度以上の角度で延出しており、また、外側縁７の第２外側縁部７２の方が、第１外側縁部７１よりも曲率半径が小さく形成されている。このような体温調節パッド１を、延出縁６が向かい合うように配置すると、隣接する２つの当接縁５により、好適な湾曲した凹部を形成することができ、この凹部を人体の湾曲した部位に当接させやすくなる。
【００４３】  （４）  体温調節パッド１を収容し、人体に装着される体温調節パッド装着具１０を、記人体に近接する側に配置される内側面部１２と、人体の外側に位置するとともに、内部に断熱材１４が設けられる外側面部１１と、内側面部１２及び外側面部１１の間に配置され、内部に体温調節パッドを収容可能な収容部１３と、を含んで構成した。また、内側面部１２に、通気性部材１５を設けた。これにより、体温調節パッド１を収容した体温調節パッド装着具１０を装着することで、高温又は低温の過酷な温度環境下での作業が容易になる。
【００４４】  （５）  体温調節パッド装着具１０を、横長形状に形成した。また、収容部１３を、体温調節パッド装着具１０の長手方向の一方及び他方に、互いに隣接して配置し、２つの収容部１３には、それぞれ体温調節パッド１の延出縁６が体温調節パッド装着具１０の長手方向の中央部側で向かい合うように収容した。これにより、体温調節パッド装着具１０自体を人体の湾曲した部位に近接又は当接させやすくすることができるとともに、体温調節パッド１を人体の湾曲した部位に近接又は当接させやすく配置した状態で保持することができる。
【００４５】  図８は、他の実施形態に係る体温調節パッド装着具１０Ａの正面図である。図８に示すように、体温調節パッド装着具１０Ａの周囲には、装着位置調節部３０が設けられている。装着位置調節部３０は、差し込み部３１と、レール部３２と、可動固定部３３と、帯状部材と、を有する。装着位置調節部３０は、プラスチック等の弾性変形可能な素材で形成される。
【００４６】  帯状部材は、上述のサスペンダー１１０やベルト１２０等の帯状の紐の部分で構成される。
【００４７】  差し込み部３１は、体温調節パッド装着具１０Ａの内部、すなわち外側面部１１と内側面部１２の間に挟まるように固定される細長い平板状の部分である。差し込み部３１は、体温調節パッド装着具１０Ａの内部に向かって突出する凸部３１ａと、体温調節パッド装着具１０Ａの周縁に沿う凹部３１ｂとが交互に連続する。
【００４８】  レール部３２は、体温調節パッド装着具１０Ａの外部に露出し、体温調節パッド装着具１０Ａの外周に沿って配置される部分である。レール部３２は、差し込み部３１と一体で、差し込み部３１の凹部３１ｂの外周側から連続する略円筒状の部分である。
【００４９】  可動固定部３３は、レール部３２に沿って移動可能である。具体的には、可動固定部３３は、レール部３２を挟んで摺動可能であり、サスペンダー１１０やベルト１２０等の帯状部材を所望の位置でレール部に係止させることが可能な部材である。可動固定部３３は、レール部３２を挟むクリップ部３３１と、サスペンダー１１０やベルト１２０等の帯状部材を通すバックル部３３２とを有する。  クリップ部３３１は、その内側に円筒状の中空部を有し、レール部３２の外側面に接して摺動可能な寸法に形成されている。クリップ部３３１は、レール部３２の一方と他方から挟みこむようにレール部３２に係合している。クリップ部３３１は、レール部３２を摺動させた後、所望の位置で止まるように、レール部３２を挟み込む力及び摩擦力が強く設定されている。  バックル部３３２は、帯状の部材を挿通させる幅広で細長い貫通孔が二列形成された部分であり、帯状部材が接続される。バックル部３３２は、帯状部材を一つの貫通孔に挿通させ、折り返して隣接する他の貫通孔に挿通させることで、帯状部材の長さが調節可能となるように設定されている。
【００５０】  以上のような装着位置調節部３０を設けることで、体温調節パッド１を装着する人間の体型や装着位置に合わせて、体温調節パッド装着具１０を装着させるためのサスペンダー１１０やベルト１２０等を固定する位置を自在に変更することができる。
【００５１】  なお、上記の装着位置調節部３０では、クリップ部３３１をレール部３２に対して摺動可能に構成しているが、これに限られない。クリップ部は、押し広げて開くことができるタイプで、クリップ部の内側に係合突起を設けてもよい。レール部３２に、係合突起が係合可能な係合孔を、間隔を空けて配置しておき、レール部における所望の位置の係合孔に、クリップ部の係合突起を係合させるようにして、クリップ部でレール部を挟むようにしてもよい。クリップ部のレール部に対する自由な移動と所望の位置での固定を可能にする構成については、適宜変更可能である。
【００５２】  以上、本発明の体温調節パッド１及び体温調節パッド装着具１０の好ましい一実施形態につき説明したが、本発明は、上述の実施形態及び実施形態に制限されるものではなく、適宜変更が可能である。  例えば、上記実施形態では、体温調節パッド１として保冷剤４を有し、人体の体温を冷却させるものとして説明したが、これに限られない。体温調節パッドは、蓄熱剤を有し、低温環境下で人体の体温を暖めるように構成してもよい。
【００５３】  また、上記実施形態では、体温調節パッド１を、人体を冷却するものとして説明したが、これに限られない。体温調節パッドは、例えば競走馬のような、体を酷使した動物の脚や、疲労した部分に用いてもよい。
【００５４】  また、上記実施形態では、断熱材１４を、外側面部１１及び配置される断熱材１４の両方に設けるように説明したが、これに限られない。断熱材１４を、外側面部１１にのみ設けてもよい。断熱材１４の数や形状、素材は体温調節パッド装着具１０が装着される周囲の環境、目的、使用状況等に応じて適宜設定される。
【００５５】  また、上記実施形態では、体温調節パッド装着具１０の外側面部１１及び内側面部１２は、ナイロン等の合成繊維の生地で構成されているが、これに限られない。体温調節パッド装着具は、装着される環境や温度、装着する人間の体型、目的や用途等に応じて適宜変更可能である。例えば、体温調節パッド装着具はメッシュ素材で形成されてもよい。また、体温調節パッド装着具は、図示の実施形態よりも大型又は小型であってもよく、ジャケットやベストと一体化されていてもよい。
【００５６】  また、上記実施形態では、体温調節パッド１は、体温調節パッド装着具１０内に一対、すなわち２つずつ配置されているが、これに限られない。体温調節パッド１は単体（一個）で使用されてよい。また、体温調節パッド装着具は、体温調節パッド１を一つ収容するような形状に構成し、背中や腋の下等に一つずつ配置して用いてもよい。
【符号の説明】
【００５７】  １      体温調節パッド  ２      表面部  ３      裏面部  ４      保冷剤  ５      当接縁  ５ａ    当接縁の一端  ５ｂ    当接縁の他端  ６      延出縁  ６ａ    延出縁の先端  ７      外側縁  ７ａ    外側縁の先端  １０    体温調節パッド装着具  １１    外側面部  １２    内側面部  １３    収容部  １５    通気性部材  ３０    装着位置調節部  ３２    レール部  ３３    可動固定部  ７１    第１外側縁部  ７２    第２外側縁部  １１０  サスペンダー（帯状部材）  １２０  ベルト（帯状部材）
【図１】
2018211606.tif 000003
【図２】
2018211606.tif 000004
【図３】
2018211606.tif 000005
【図４】
2018211606.tif 000006
【図５】
2018211606.tif 000007
【図６】
2018211606.tif 000008
【図７】
2018211606.tif 000009
【図８】
2018211606.tif 000010
【国際調査報告】
2018211606.tif 000011
2018211606.tif 000012
2018211606.tif 000013
2018211606.tif 000014